(57)【要約】【課題】フレキシブル回路基板の表裏両面から効率的に放熱することができ、更に外装の合わせ目から侵入してくる静電気による基板の素子の破壊を防ぐことが可能な撮像装置を提供すること。【解決手段】隣接する第一のカバーと第二のカバーを備え、内部には金属部材を備え、金属部材の前記第一のカバーと第二のカバー側にはフレキシブル回路基板を配置し、フレキシブル回路基板の一部は第一のカバーと第二のカバーの合わせ目の下に配置されている撮像装置において、フレキシブル回路基板の表面と裏面には一つの導電性クッション部材が備えられ、導電性クッション部材は金属部材に当接し、第一のカバーもしくは第二のカバーのいずれかに当接していることを特徴とする。【選択図】図１
2016128856.tif 000002
【特許請求の範囲】
【請求項１】
隣接する第一のカバーと第二のカバーを備え、
内部には金属部材を備え、
金属部材の前記第一のカバーと第二のカバー側にはフレキシブル回路基板を配置し、
フレキシブル回路基板の一部は第一のカバーと第二のカバーの合わせ目の下に配置されている撮像装置において、
フレキシブル回路基板の表面と裏面には一つの導電性クッション部材が備えられ、
導電性クッション部材は金属部材に当接し、
第一のカバーもしくは第二のカバーのいずれかに当接していることを特徴とする撮像装置。
【請求項２】
前記フレキシブル回路基板は通信用であり、一端は回路基板に接続され、一端は回路基板に接続されていないことを特徴とする請求項１に記載の撮像装置。
【請求項３】
前記フレキシブル回路基板の信号用パターンの外周には、信号用パターンよりも幅の広いパターンが配置されていることを特徴とする請求項１又は請求項２に記載の撮像装置。
【発明の詳細な説明】
【技術分野】
【０００１】
本発明は、フレキシブルプリント回路基板を配置する撮像装置に関する。
【背景技術】
【０００２】
従来、フレキシブル回路基板の熱を放熱する方法として、弾性部材によりフレキシブル回路基板を放熱部材へ押しあてる方法が用いられてきた（特許文献１参照）。
【先行技術文献】
【特許文献】
【０００３】
【特許文献１】特開２００３−８０７９３号公報
【発明の概要】
【発明が解決しようとする課題】
【０００４】
しかしながら、上記の特許文献１では、フレキシブル回路基板の片側の面のみ放熱が可能となっており、その裏面側からは効率的に放熱ができなかった。更に、フレキシブル回路基板を伝う静電気対策については考慮されていなかった。
【０００５】
本発明の目的は、フレキシブル回路基板の表裏両面から効率的に放熱することができ、更に外装の合わせ目から侵入してくる静電気による基板の素子の破壊を防ぐことが可能な撮像装置を提供することにある。
【課題を解決するための手段】
【０００６】
上記の目的を達成するために、本発明は、隣接する第一のカバーと第二のカバーを備え、内部には金属部材を備え、金属部材の前記第一のカバーと第二のカバー側にはフレキシブル回路基板を配置し、フレキシブル回路基板の一部は第一のカバーと第二のカバーの合わせ目の下に配置されている撮像装置において、フレキシブル回路基板の表面と裏面には一つの導電性クッション部材が備えられ、導電性クッション部材は金属部材に当接し、第一のカバーもしくは第二のカバーのいずれかに当接していることを特徴とする。
【発明の効果】
【０００７】
本発明によれば、フレキシブル回路基板の表裏両面から効率的に放熱することができ、更に外装の合わせ目から侵入してくる静電気による基板の素子の破壊を防ぐことが可能な撮像装置の提供を実現できる。
【図面の簡単な説明】
【０００８】
【図１】図１６におけるＢ−Ｂ断面図
【図２】撮像装置１の外観斜視図
【図３】撮像装置１の外観斜視図
【図４】グリップ部３を回動させ、左カバー６を外した状態を示す図
【図５】本体部４の構造を示す分解斜視図
【図６】グリップ部３を示した斜視図
【図７】グリップ部３の取り付け構造を示した分解斜視図
【図８】メイン基板２４周辺構造を示す分解斜視図
【図９】通信用フレキシブル回路基板１７を示す斜視図
【図１０】通信用フレキシブル回路基板１７を示す斜視図
【図１１】通信用フレキシブル回路基板１７の配線を示した図
【図１２】通信用フレキシブル回路基板１７への導電性クッション部材２８の貼りつけ方法を示す図
【図１３】通信用フレキシブル回路基板１７の組みつけ方法を示した分解斜視図
【図１４】通信用フレキシブル回路基板１７組み付け後を示した分解斜視。
【図１５】回動用軸部５を構成する外装カバーを示した分解斜視図
【図１６】撮像装置１をグリップ部３側から見た。
【図１７】導電性クッション部材２８を構成しない仮の状態を示したＢ−Ｂ断面図
【図１８】図１７のＤ部拡大図
【図１９】図１６におけるＣ−Ｃ断面の拡大図
【図２０】左カバー６の裏面側を示す斜視図
【発明を実施するための形態】
【０００９】
以下、図面を参照しながら、本発明を実施するための形態についての説明を行う。なお、方向に関しては、図中にＸ、Ｙ、Ｚ軸を配置することで説明することとする。
【００１０】
＜第１の実施形態＞
図２は本発明における撮像装置１の外観斜視図を示している。撮像装置１にはレンズ群２ａを備えたレンズ部２が備えられており、レンズ群２ａを通った光学像が不図示のセンサに取り込まれる。また撮像装置１にはグリップ部３が備えられており、本体部４に対し回動する構成となっている。回動は、中心線Ａを回動中心とした回動用軸部５により回動可能となっている。
【００１１】
回動用軸部５は内部に中空部を持った略円筒形状となっており、中空部には本体部４とグリップ部３を接続する不図示のケーブル類が配線されている。回動用軸部５は、回動するグリップ部３側と、本体部４側に形成された略円筒形状から構成されており、本体部４の前面側（−Ｘ側）は左カバー６と上カバー７で構成されている。なお、グリップ部３には各種操作部材８ａが配置されている。これらの操作部材については本発明の構成とは特に関連がないため、詳述を省くこととする。
【００１２】
更に、本体部４の上面（＋Ｙ側）には中央に外部アクセサリを取りつけるためのアクセサリシュー９、その両側にはストラップベルトを取りつけるためのストラップ金具１０ａ、ストラップ金具１０ｂが配置されている。
【００１３】
図３は撮像装置１を背面側から見た外観斜視図である。本体部４の背面側には可動式の表示部１１が配置され、その底面部にはカードカバー１３が配置されている。カードカバー１３は底面部一帯に配置された不図示のカードスロットユニットの入口部を覆っている。カードスロットユニットにはデータを記録するフラッシュメモリカードが挿入される。また撮像装置１の背面から見て左側（＋Ｚ側）には各種操作部材８ｂが配置される。これらの操作部材についても本発明の構成とは特に関連がないため、詳述を省くこととする。
【００１４】
また端子カバー１４ａ、端子カバー１４ｂも配置され、これらは不図示であるマイク端子、ＵＳＢ端子、ＨＤＭＩ（登録商標）端子、ＤＣ電源端子を覆っている。これらの端子類は、外部との通信や、外部電源を供給するための端子類である。また、本実施例においては基板の素子で発生する熱を放熱するためのダクト構造を備えているが、その際の空気の排出口である出口カバー１５も備えている。
【００１５】
続いて図４はグリップ部３を回動させ、更に左カバー６を外した状態を示している。左カバー６直下には、通信用フレキシブル回路基板１７が配置され、通信用フレキシブル回路基板１７上にコネクタ１８ａが実装されている。このコネクタ１８ａは外部との通信用コネクタとなっている。外部の通信ケーブルをコネクタ１８ａに接続することで、撮像装置１内部の電気的な情報収集や調整が可能となる。通常のユーザーはこれらの操作を行うことはない。このため、このコネクタ１８ａは撮像装置１の内部に配置され、カバー部材を取り外すことで初めて使用可能となる構成としている。ただし、実際に使用する場合には、カバー部材を取り外す工程が少ない方が好ましい。本実施例では、最初に外すことが可能な左カバー６直下に配置している。
【００１６】
次に、通信用フレキシブル回路基板１７の配置について説明する。前述のように、本実施例における撮像装置１の本体部４では、ユーザーが使用する部材が、各面に配置されている。例えば図２において、本体部４の上面側（＋Ｙ側）にはアクセサリシュー９、ストラップ金具１０ａ、ストラップ金具１０ｂである。前面側（−Ｘ側）にはレンズ部２が配置されている。図３において背面側（＋Ｘ側）には表示部１１やカードカバー１３が配置され、撮影者から見て左側（＋Ｚ側）には各種操作部材８ｂや端子カバー１４ａ、端子カバー１４ｂである。
【００１７】
これらのカードカバー１３や端子カバー１４ａ、端子カバー１４ｂの内側には各種端子類やフラッシュメモリカードが配置されていることは言うまでもない。また、図４において底面側には三脚取り付け部１６が配置されており、その上面側（＋Ｙ側）には不図示であるがフラッシュメモリカードを収納したカードスロットユニットが配置されている。
【００１８】
このように、本体部４の各部位のうち、ユーザーの操作に適したスペースにはユーザーの使用する部材が配置されており、そのスペースは限られている。このスペースを拡大しようとすると、撮像装置１の大型化につながってしまう。そのため、前述の通信用フレキシブル回路基板１７のような通常は使用しない部品は、これらのユーザーの操作に適したスペースを除外して配置することが望ましい。
【００１９】
このことから本実施例では、通信用フレキシブル回路基板１７は本体部４のグリップ部３側に配置している。この位置では対面にグリップ部３があるため、ユーザーが使用する部材、例えば各種端子類の挿抜や、フラッシュメモリカードの挿抜には適していない。この位置に配置することで、撮像装置１の大型化を避けることが可能となっている。
【００２０】
また本実施例では、図４に示すグリップ部３の長さＬｇ１とＬｇ２は、Ｌｇ１＞Ｌｇ２と設定している。そのため、グリップ部３をＬｇ１がＸ軸方向となるように回動させることで、コネクタ１８ａへのアクセスが容易になる構成としている。
【００２１】
続いて、本実施例における撮像装置１の内部構成について組立順に沿って説明する。なお、本実施例とは関係ない部品や、説明するために不必要と思われる部品については適宜不図示とする。図５は本体部４の構造を示す分解斜視図である。センサ部１９が保持されたレンズ部２は、ビス１００ａにより、ベース部材２０に固定される。本実施例ではベース部材２０は金属としている。更にその背後から、ホルダー部材２１がビス１００ｂにより、ベース部材２０に固定される。更にその背後から、プレート部材２２がビス１００ｃにより、ベース部材２０に固定される。更にその背後から、シールド部材２３が組み込まれる。なお、これらの部材は、この後組まれる部品も含めて一体となって組み込まれ、固定される構造となっている。
【００２２】
続いてグリップ部３を説明する。図６はグリップ部３を示した斜視図となっている。図６において、前述のグリップ部３側の回動用軸部５は、金属からなるグリップ固定プレート３ａに対しグリップ回動プレート３ｂが回動するヒンジ構造となっている。グリップ回動プレート３ｂはグリップ部３と一体となっているため、グリップ固定プレート３ａに対し、グリップ部３が回動可能となっている。この回動中心部Ａ近傍には、ケーブル３ｃが配置され、本体部４とグリップ部３を接続している。
【００２３】
続いてグリップ部３の組み込みについて説明する。図７は、図５の各部品が組み込まれ、更にグリップ部３の取り付け構造を示した分解斜視図となっている。図７に示すように、グリップ固定プレート３ａをビス１００ｄによりベース部材２０に締結することで、グリップ部３はベース部材２０に対し回動可能に取り付けられることになる。
【００２４】
続いて、メイン基板２４周辺構造について説明する。図８は、メイン基板２４周辺構造を示す分解斜視図である。メイン基板２４はビス１００ｅと、ホルダー部材２１に設けた爪形状２１ａによる保持機構により固定される。また、メイン基板２４には、コネクタ２４ａが実装されており、通信用フレキシブル回路基板１７が接続される。またその背後からはファン部２６を搭載したダクト部２５がビス１００ｆにより固定される。これらの部品は前述のように、背後から組み込まれる部品が一体となって保持される構造をとっている。
【００２５】
続いて、通信用フレキシブル回路基板１７について説明する。図９、図１０は通信用フレキシブル回路基板１７の斜視図で、それぞれ異なる方向から見ている。図９に示すように、通信用フレキシブル回路基板１７は両端にコネクタを配置しており、メイン基板２４への接続側にはコネクタ１８ｂ、外部から接続する通信ケーブル側にはコネクタ１８ａを配置している。通信ケーブル側には位置決め用の穴形状１７ａと、同様に位置決め用の突き当て面１７ｂを設定している。
【００２６】
コネクタ１８ａ、コネクタ１８ｂの裏面側にはそれぞれ補強板２７ａ、補強板２７ｂが設けられ、通信用フレキシブル回路基板１７に接着固定されている。この補強板２７ａにも前述の穴形状１７ａ、突き当て面１７ｂと同じ形状が設定されている。通信用フレキシブル回路基板１７には、更に導電性クッション部材２８が表裏に一体的に巻きつけるように配置されている。この導電性クッション部材２８は、導電部材からなる弾性体であり、導電性の粘着面を持っている。また、通信用フレキシブル回路基板１７において、コネクタ１８ａが配置されている面を面１７ｃ、その裏面側であるコネクタ１８ｂが配置されている面を面１７ｄと定義する。面１７ｃと面１７ｄは表裏の関係である。
【００２７】
続いて、図１１は面１７ｃにおける通信用フレキシブル回路基板１７の配線を示した図である。各コネクタは不図示としてある。図の二点鎖線部にはコネクタ１８ａが実装される。この図が示すように、コネクタ１８ａ側とコネクタ１８ｂ側を結ぶように、各種パターン１７ｅが配線されている。これらのパターン１７ｅの周囲には、ノイズ対策としてＧＮＤパターン１７ｆが配置されている。
【００２８】
これらの各パターンは、銅部材で形成されており、各パターン間は銅部材を除くことで形成している。このため、ＧＮＤパターン１７ｆ部はパターン１７ｅ部よりも銅部材の面積が広くなっている。この銅部材のＧＮＤパターン１７ｆの幅が広いことにより、伝熱効率も高くなっている。本実施例では、この通信用フレキシブル回路基板１７は２層のパターン構成となっており、同様のパターンが面１７ｄ側にも配線されている。この各種パターンの配線方向に対する幅方向に対し、本実施例ではお互いに略平行となる辺１７ｇ、辺１７ｈを設定しており、その対向する長さをＬ１と定義する。
【００２９】
続いて、導電性クッション部材２８の貼りつけ方法について説明する。図１２は通信用フレキシブル回路基板１７への導電性クッション部材２８の貼りつけ方法を示す図である。導電性クッション部材２８は略矩形となっており、その一端である辺２８ａとその対向する略平行な辺を辺２８ｂとし、その対向する長さをＬ２とする。また、その中間となる一点鎖線で示した箇所を中央部２８ｍとする。本実施例では、導電性クッション部材２８の辺２８ａを通信用フレキシブル回路基板１７の辺１７ｇに合わせ、導電性クッション部材２８を通信用フレキシブル回路基板１７の面１７ｃに貼りつける。このとき、導電性クッション部材２８の面１７ｃ側には粘着剤が備えられている。ここで導電性クッション部材２８の長さＬ２は、通信用フレキシブル回路基板１７の長さＬ１よりも長く設定されており、Ｌ１＜Ｌ２となっている。そのため、導電性クッション部材２８を面１７ｄ側に巻き込むように貼りつけることが可能となっている。
【００３０】
本実施例では、Ｌ２はＬ１の略２倍の長さとなっているため、導電性クッション部材２８の中央部２８ｍを通信用フレキシブル回路基板１７の辺１７ｈで折り返し、辺２８ｂを辺１７ｇに合わせるように裏面側すなわち面１７ｄ側に貼りつけられる。すなわち、導電性クッション部材２８は、通信用フレキシブル回路基板１７の面１７ｃ、面１７ｄ両面のＬ１部を覆っていることになる。これは、図１１に示すように、ＧＮＤパターン１７ｆを含めて覆っていることになる。この作用については後述することとする。
【００３１】
このように貼りつけられた導電性クッション部材２８において、図９に示すように、通信用フレキシブル回路基板１７の面１７ｃ側に貼りつけた導電性クッション部材２８の外側の面を面２８ｃ、通信用フレキシブル回路基板１７の面１７ｄ側に貼りつけた導電性クッション部材２８の外側の面を面２８ｄとする。更に、面２８ｃと面２８ｄ間の厚みをＴ１と定義する。
【００３２】
続いて、通信用フレキシブル回路基板１７の組みつけについて詳細に説明する。図１３はメイン基板２４を組み込んだ後の、通信用フレキシブル回路基板１７の組みつけ方法を示した分解斜視図である。図１４は通信用フレキシブル回路基板１７組み付け後を示した分解斜視図である。なお、図１３、１４ともにグリップ部３を不図示としている。
【００３３】
図１３において、補強板２７ｂの裏面側に配置されているコネクタ１８ｂはメイン基板２４上のコネクタ２４ａに接続される。更に通信用フレキシブル回路基板１７はベース部材２０に固定される。この際、通信用フレキシブル回路基板１７の穴形状１７ａ、突き当て面１７ｂと、ベース部材２０に設けたボス形状２０ａ、リブ形状２０ｂにより位置決めがなされる。なお、通信用フレキシブル回路基板１７の補強板２７ａの裏面側には不図示の両面テープが設定されており、これによりベース部材２０に固定される構成としている。なお、本実施例では、ベース部材２０の、両面テープが接着される面には肉抜き形状を設けている。更に、導電性クッション部材２８はグリップ固定プレート３ａ上に配置される。
【００３４】
続いて、回動用軸部５周囲のカバー構成について説明する。図１５は回動用軸部５を構成する外装カバーを示した分解斜視図である。この図が示すように、左カバー６、上カバー７、入口カバー２９により、本体部４側の回動用軸部５が形成されている。これらは各種ビス１００ｇ、ビス１００ｈ、ビス１００ｉで固定される。この本体部４側の回動用軸部５については、本体部４とグリップ部３との谷間に構成されるため、一つの部品として構成ができない。そのため、本実施例では回動用軸部５を前述の３部品で構成している。この結果、各カバーとカバーの間には合わせ目が形成され、通信用フレキシブル回路基板１７は、これらの合わせ目の直下を通る構成となっている。
【００３５】
続いて、このような配置に関して発生する問題について説明する。図１６は撮像装置１をグリップ部３側から見た図である。ただし、グリップ部３を不図示としてある。図１７は図１６におけるＢ−Ｂ断面を示しており、Ｂ−Ｂ断面線は、左カバー６と入口カバー２９の境目である合わせ目３０上を通るような線としている。図１７は更に、本実施例における特徴である、導電性クッション部材２８を構成しない仮の状態を示している。図１８は図１７のＤ部拡大図である。
【００３６】
以下、このような配置によって発生する静電気問題について説明する。図１８において本実施例では、合わせ目３０部に入口カバー２９と左カバー６との段差形状のインロー構造を持っているが、外部で発生した静電気は、微細な隙間から内部に侵入してしまう。本実施例では合わせ目３０の直下には通信用フレキシブル回路基板１７が配置されている。これは前述のように、外部の通信ケーブルを接続する際に、外装カバーを外せばすぐに接続できるような構成をとっているためである。図中矢印を静電気の流れとすると、合わせ目３０から侵入した静電気は、通信用フレキシブル回路基板１７表面まで伝達される。この通信用フレキシブル回路基板１７はメイン基板２４に接続されているため、その表面を伝い、メイン基板２４まで侵入し、実装されている素子に影響を与える場合がある。
【００３７】
続いて、この静電気対策となる、本実施例での特徴である、導電性クッション部材２８を配置した場合について説明する。図１は図１６におけるＢ−Ｂ断面、図１９は図１６におけるＣ−Ｃ断面の拡大図である。Ｂ−Ｂ断面線は、左カバー６と入口カバー２９の境目である合わせ目３０上を通るような線としている。図１、図１９ともに、本実施例の特徴である導電性クッション部材２８を配置した場合の図となっている。
【００３８】
前述したように、図１において、合わせ目３０直下には通信用フレキシブル回路基板１７が配置されているが、通信用フレキシブル回路基板１７には導電性クッション部材２８が構成されている。
【００３９】
ところで、図２０に示すように、左カバー６の裏面側には突起形状６ａが設けられている。図１９に示すように、断面Ｃ−Ｃの箇所では、突起形状６ａにより導電性クッション部材２８は、直下のグリップ固定プレート３ａに圧接される。この突起形状６ａの先端とグリップ固定プレート３ａとのクリアランスをＬ３とすると、前述のＴ１との関係は本実施例では、Ｔ１＞Ｌ３としている。こうすることで、弾性の性質を持つ導電性クッション部材２８の面２８ｄは金属からなるグリップ固定プレート３ａに、確実に当接することになる。つまり、導電性クッション部材２８はグリップ固定プレート３ａに電気的に接続されることになる。なお、このグリップ固定プレート３ａは更に金属からなるグランド部材であるベース部材２０と接続される。このため、図１において、合わせ目３０から侵入してきた静電気は、通信用フレキシブル回路基板１７表面に伝わる前に、この導電性クッション部材２８を介してグリップ固定プレート３ａに伝わる。このため、静電気が通信用フレキシブル回路基板１７表面を伝わり、メイン基板２４の素子を破壊することを防ぐことが可能となっている。
【００４０】
この通信用フレキシブル回路基板１７は前述のように、パターン部は銅部材で構成されており、伝熱の役割も果たしている。本実施例では、通信用フレキシブル回路基板１７はメイン基板２４に接続しているため、メイン基板２４の熱は通信用フレキシブル回路基板１７により導電性クッション部材２８に伝わる。更には導電性クッション部材２８は前述のように、グリップ固定プレート３ａに当接している。このため、メイン基板２４の熱は大きな熱容量を持つグリップ回動プレート３ｂに放熱されることになる。このグリップ固定プレート３ａは更に、同様な大きな熱容量を持つベース部材２０に接続されている。
【００４１】
更に本実施例では、前述のように、導電性クッション部材２８は、図１１におけるＧＮＤパターン１７ｆを含んで貼りつけられている。このＧＮＤパターン１７ｆは、各種パターン１７ｅのように銅部材を除去していないため、銅部材の幅が広くなっており、伝熱効果が高い。更に本実施例では、通信用フレキシブル回路基板１７の両面において、Ｌ１部を導電性クッション部材２８で覆っているため、両側の面から導電性クッション部材２８へと伝熱が可能となっており、その伝熱効果は高くなっている。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４３】
１  撮像装置、２  レンズ部、２ａ  レンズ群、３  グリップ部、
３ａ  グリップ固定プレート、３ｂ  グリップ回動プレート、３ｃ  ケーブル、
４  本体部、５  回動用軸部、Ａ  回動軸中心、６  左カバー、６ａ  突起形状、
７  上カバー、８ａ  操作部材、８ｂ  操作部材、９  アクセサリシュー、
１０ａ  ストラップ金具、１０ｂ  ストラップ金具、１１  表示部、
１３  カードカバー、１４ａ  端子カバー、１４ｂ  端子カバー、１５  出口カバー、
１６  三脚取り付け部、１７  通信用フレキシブル回路基板、１７ａ  穴形状、
１７ｂ  突き当て面、１７ｃ  面、１７ｄ  面、１７ｅ  パターン、
１７ｆ  ＧＮＤパターン、１７ｇ  辺、１７ｈ  辺、１８ａ  コネクタ、
１８ｂ  コネクタ、１９  センサ部、２０  ベース部材、２０ａ  ボス形状、
２０ｂ  リブ形状、２１  ホルダー部材、２１ａ  爪形状、２２  プレート部材、
２３  シールド部材、２４  メイン基板、２４ａ  コネクタ、２５  ダクト部、
２６  ファン部、２７ａ  補強板、２７ｂ  補強板、２８  導電性クッション部材、
２８ａ  辺、２８ｂ  辺、２８ｃ  面、２８ｄ  面、２８ｍ  中央部、
２９  入口カバー、３０  合わせ目、１００ａ  ビス、１００ｂ  ビス、
１００ｃ  ビス、１００ｄ  ビス、１００ｅ  ビス、１００ｆ  ビス、
１００ｇ  ビス、１００ｈ  ビス、１００ｉ  ビス
【図１】
2016128856.tif 000003
【図２】
2016128856.tif 000004
【図３】
2016128856.tif 000005
【図４】
2016128856.tif 000006
【図５】
2016128856.tif 000007
【図６】
2016128856.tif 000008
【図７】
2016128856.tif 000009
【図８】
2016128856.tif 000010
【図９】
2016128856.tif 000011
【図１０】
2016128856.tif 000012
【図１１】
2016128856.tif 000013
【図１２】
2016128856.tif 000014
【図１３】
2016128856.tif 000015
【図１４】
2016128856.tif 000016
【図１５】
2016128856.tif 000017
【図１６】
2016128856.tif 000018
【図１７】
2016128856.tif 000019
【図１８】
2016128856.tif 000020
【図１９】
2016128856.tif 000021
【図２０】
2016128856.tif 000022